(57)【特許請求の範囲】
【請求項１】
熱交換装置の室外機に備わる放熱部に対して冷却用空気の吸込み面に対向配置されており、且つ繊維にて形成されていて上縁部から冷却水が流下される内部を通過して前記放熱部へ吸入される空気を冷却させる間接冷却装置用クーリングマットであって、
前記繊維は、密部分と疎部分とが前記クーリングマットの面内において縦方向にも横方向にも不定形・不規則に分散配置されており、
前記クーリングマットは、前記室外機の放熱部と対向する面に張設されていて、前記冷却水の受け止めと前記クーリングマットの吸い込み側への撓み防止とを担うネットを有する
ことを特徴とする間接冷却装置用クーリングマット。
【発明の詳細な説明】
【技術分野】
【０００１】
この発明は、空調・冷凍・冷蔵装置等に用いる熱交換手段である凝縮器等について、排熱部の温度が高いときに、凝縮器の冷却用の吸い込み空気を通過時に冷却させる間接冷却装置に用いられるクーリングマットに関する。
【背景技術】
【０００２】
従来、空調・冷凍・冷蔵装置等の冷凍サイクルに用いられる凝縮器は、冷媒を液化するために冷却する必要がある。凝縮器の冷却を空気で行う空冷式は、装置構造が簡便なため安価であるが、夏場の高温時等に庫内・室内の冷却効率が落ちるという問題がある。
【０００３】
そこで、空冷式凝縮器に対してさらに補助冷却装置を用いることが数多く提案されており、その典型的な装置としては、外気温度が３５℃前後の高温になった際に、放熱フィンに直接水を散布し冷却効率を向上させる補助冷却装置が知られている。また、空冷式凝縮器に用いる補助冷却装置の一例として、本出願人は、既に、凝縮器の放熱フィンの近傍にクーリングマットを配置し、該クーリングマットに冷却水を流下させて、凝縮器に冷却ファンによって吸い込まれる空気を冷却させる方式を提案している（特許文献１参照）。この方式の補助冷却装置は、冷却水を凝縮器の放熱フィンに直接吹き付けるのではなく、凝縮器の放熱フィンを冷却する空気を冷却水により間接的に冷却しているので、放熱フィンには冷却水による腐食やスケールの付着が生じることがない。また、この補助冷却装置は、従来の凝縮器に後付けにより付加することができることから、既設ユニットに取付けが可能であり、また、着脱・交換も簡単である。更に、クーリングマットの製作には廃材を活用することもできるから、資源の有効利用にもなるという利点を備えている。
【０００４】
図４に従来の間接冷却装置用クーリングマットの一例が示されている。図４（ａ）は従来の間接冷却装置用クーリングマットの全体を示す概略図であり、同（ｂ）は冷却水の流れる様子を示す模式図である。図４（ａ）に示すように、従来のクーリングマット２０は、不織布状の繊維から成るマットであり、全体的に一様な密度（比較的密）に形成されており、通常、周囲を適当な枠フレームによって囲まれて取り付けられている。図４（ｂ）に示すように、上端に散水された冷却水は、多少の蛇行を伴うものの略真っ直ぐに水の筋２１となって流下する。
【０００５】
従来のクーリングマットの表面の様子が図５に示されている。間接冷却装置のクーリングマット２０は、厚さが３０ｍｍであり、比重が０．０４１ｇ／ｃｍ３であり、風速１．５ｍ／ｓでの圧力損失が７Ｐａ程度存在する。また、間接冷却装置が運転中のときには、給水ユニットによってクーリングマットにその上端部において冷却水が散水されるが、マットの繊維構造が表面の保水量が少なく且つ密度が略一様に密であるため、図４（ｂ）に示したように、かえって冷却水がマット全体に均等に広がらない。
【０００６】
図５は、図４に示すクーリングマットの一部を拡大して示す図である。水の流れ２１は、太い黒線で示すように、多少の蛇行はしているが筋状に流れており、一旦流れた道筋が殆ど変わらないのが実情である。そのため、冷却水が効率的に蒸発せず、クーリングマット２０を通過して流れる吸い込み空気の冷却を充分に行うことができない。
【特許文献１】特開２００４−３８０６号公報
【発明の開示】
【発明が解決しようとする課題】
【０００７】
そこで、冷却水が筋状に流下するばかりでなく、流下と拡散を繰り返すことで拡散時に冷却水を微細化し、通過する吸い込み空気の圧力損失を低減するとともに冷却水をクーリングマット全体に広げる点で解決すべき課題がある。
【０００８】
この発明の目的は、クーリングマットの厚さが薄く、圧力損失をより少なくして、放熱部へのより多い風量を確保し、吸い込み空気の冷却作用を高め、その結果、凝縮器等の冷却対象の冷却効果を高めることができる間接冷却装置用クーリングマットを提供することである。
【課題を解決するための手段】
【０００９】
上記の課題を解決するため、この発明による間接冷却装置用クーリングマットは、熱交換装置の室外機に備わる放熱部に対して冷却用空気の吸込み面に対向配置されており、且つ繊維にて形成されていて上縁部から冷却水が流下される内部を通過して前記放熱部へ吸入される空気を冷却させる間接冷却装置用クーリングマットであって、前記繊維は、密部分と疎部分とが前記クーリングマットの面内において縦方向にも横方向にも不定形・不規則に分散配置されていることを特徴としている。
【００１０】
この間接冷却装置用クーリングマットによれば、上端部から散水された冷却水は、クーリングマットを流れ下るときに、クーリングマットの面内において縦方向に並ぶ密部分と疎部分とを交互に流れ、マットの疎部分では筋状に或いは自然落下し、落下してきた水が密部分で衝突又は滞留の機会が増えて分散して周囲に広がる。冷却水は、こうした落下と拡散とからなる過程を繰り返すことで、クーリングマットの実質的に全体を濡らすことができる。
【００１１】
この間接冷却装置用クーリングマットにおいて、前記密部分と前記疎部分とは、前記クーリングマットの面内方向において横方向にも不定形・不規則に分散配置されている。前記密部分と疎部分とについては、前記密部分が、前記クーリングマットの面内方向で、少なくとも前記縦方向に不定形、不規則に配置され、残る部分を前記疎部分にすることができる。クーリングマットにおいて疎密の各部分を面内方向で不定形、不規則に配置することで、クーリングマットにおいては、冷却水の落下と拡散とが実質的に全体に渡って生じる。
【００１２】
この間接冷却装置用クーリングマットにおいて、厚さが約２５ｍｍ、圧力損失が風速１．５ｍで約４Ｐａである。この間接冷却装置用クーリングマットによれば、従来のものよりも厚さが薄く、軽量で取扱いがしやすい。また、圧力損失も従来のものよりも少ないので、クーリングマットを通過する風量を多く確保することができる。
【００１３】
この間接冷却装置用クーリングマットにおいて、前記冷却水の受け止めと前記クーリングマットの吸い込み側への撓み防止のため、前記クーリングマットの空気通過下流側にネットが張設されている。クーリングマットの空気通過下流側、即ち、裏面側は、吸い込み空気が流れていく側であるので、クーリングマットを流れ落ちる冷却水が吸い込み空気と共に裏面側に飛散しやすく、また、クーリングマットはその吸い込み空気によって裏面側に撓みやすい。裏面側にネットを張設することによって、裏面側に飛散する冷却水をネットで受け止める作用を奏し、また、クーリングマットの吸い込み空気側への撓みを張設されたネットによって防止することができる。
【００１４】
上記のクーリングマットは、熱交換装置の室外機に備わる放熱部に対して冷却用空気の吸込み面に対向配置される間接冷却装置として適用されている。水がクーリングマットの内部を流下される際に、クーリングマットを通過して放熱部へ吸入される空気を冷却させることができる。
【発明の効果】
【００１５】
この発明による間接冷却装置用クーリングマットは、上記のように繊維の密部分と疎部分とがクーリングマットの面内において縦方向にも横方向にも不定形・不規則に分散配置されて構成されているので、クーリングマットの厚さを薄くし且つ圧力損失をより少なくし、冷凍サイクルの凝縮器のような放熱部への風量をより多く確保することができる。また、上縁部からの冷却水が、マットの疎部分では筋状に或いは自然落下し、落下してきた水が密部分で衝突又は滞留の機会が増えて分散して周囲に広がり、こうした自由落下と拡散とを繰り返すことで実質的にクーリングマットの全体に濡れ渡るので、クーリングマットの全体から冷却水が蒸発することで、吸い込み空気の冷却作用が高く、その結果、冷却効果が高い間接冷却装置を得ることができる。更に、クーリングマットは、裏面側にネットが張設されていることによって、裏面側に飛散する冷却水をネットで受け止める作用を奏し、また、クーリングマットの吸い込み空気側への撓みを張設されたネットによって防止することができる。
【発明を実施するための最良の形態】
【００１６】
以下、添付した図面に基づいて、この発明による間接冷却装置用クーリングマット（以下、「クーリングマット」と略す）の実施例を説明する。図１は、この発明による間接冷却装置用クーリングマットの一例を示す概略図であり、図１（ａ）は全体を示す概略図、図１（ｂ）は、（ａ）の一部を拡大し且つ冷却水の流れを模式的に示す説明図に示す図である。
【００１７】
クーリングマット１は、図１（ａ）に示すように、繊維を絡ませるなど不織布の状態にて形成されているが、縦方向に繊維が密に存在する密部分２と、密度が疎になっている疎部分３とが交互に並んで存在している。したがって、クーリングマット１の上端部４に散水される冷却水１７は、図１（ｂ）に示されているように、密部分２を流れるときには蛇行して流れ、疎部分３に到達すると水滴となって自然落下する。自然落下は、疎部分３の段高さすべてに渡って一筋に滴下するとは限らないが、説明上、簡略化して示す。疎部分３から滴下して下位置の密部分２に到達した冷却水１７は、密部分２の繊維と衝突又は滞留することによって横に広がり、拡散した水分は他の拡散した水分と合流・合体して密部分２を蛇行して流れ、途中で蒸発することなく流れ落ちた冷却水１７が下端部５から排出される。
【００１８】
このように、クーリングマット１の上端部４に導かれた冷却水１７は、密部分２と疎部分３とを流下する毎に、密部分２における蛇行、疎部分３における自然落下、及び密部分２に到達したときの衝突・拡散という上記の過程を繰り返す。クーリングマット１の上端部４の長手方向各部分に散水された冷却水１７は、同じような過程を経て流下するので、結局、クーリングマット１の全体に渡って、冷却水１７が均等に分散して流れる。
【００１９】
図２は、この発明による間接冷却装置用クーリングマットの表面の様子の一例を示す模式図である。図２に示すクーリングマット１０は、複数の縦列１１からなっており、各列１１においては密部分１２と疎部分１３とが上下に交互に並んだ配置されている。密部分１２及び疎部分１３は、それぞれ、縦寸法が１０ｍｍ程度、横寸法が２０ｍｍ程度の矩形の広がりを有している。隣り合う各縦列１は繋がって並んでいるが、上下に僅かに（５ｍｍ程度）ずらしてある。本クーリングマット１０の比重は０．０２５ｇ／ｃｍ３である。黒表示される点や線は、冷却水の流れや滴下状態を示している。
【００２０】
クーリングマット１を疎密な部分に区分して形成することで、全体として圧力損失が従来のものよりも低下する。この例では、圧力損失は４Ｐａ程度まで下げることができた。その分、冷却用の吸い込み空気量の減少が回避される。
【００２１】
図３は、この発明による間接冷却装置用クーリングマットの表面と裏面との様子の一例を示す模式図である。図３（ａ）は、図２と同じであるが、図３（ｂ）が裏面の様子を表している。クーリングマット１０の裏面側は、凝縮器等の放熱が必要な機器に向かって吸い込み空気が流れていく側である。クーリングマット１０の裏面には、ネット１６が張設されている。ネット１６は縦横４ｍｍ程度の格子状の網である。クーリングマット１０を流れ落ちる冷却水１７は、吸い込み空気と共に裏面側に飛散しやすく、また、クーリングマット１０はその吸い込み空気によって裏面側に撓みやすい。裏面側にネット１６を張設することによって、裏面側に飛散する冷却水１７をネット１６によって受け止める作用が期待できる。また、クーリングマット１０の吸い込み空気側へ変形するのをネット１６によって支えることで、撓みを防止することができる。
【００２２】
図示の例では、繊維の疎密の各部分は、比較的パターン化されていたが、本クーリングマットは、この例に限ることなく適宜に変更が可能である。即ち、密部分と疎部分とは、各部分の広さは略上記の例と同等であって良いが、形状や配置においては、不定形、不規則に形成することができる。
【図面の簡単な説明】
【００２３】
【図１】この発明による間接冷却装置用クーリングマットの一例を示す概略図である。
【図２】この発明による間接冷却装置用クーリングマットの表面の様子の一例を示す模式図である。
【図３】この発明による間接冷却装置用クーリングマットの表面と裏面との様子の一例を示す模式図である。
【図４】従来の間接冷却装置用クーリングマットの一例を示す概略図である。
【図５】従来の間接冷却装置用クーリングマットの表面の様子の一例を示す模式図である。
【符号の説明】
【００２４】
１，１０  クーリングマット            １１      縦列
２，１２  密部分                      ３，１３  疎部分
４  上端部                            ５  下端部
１６  ネット                            １７  冷却水
【図１】
0004827534.tif 000002
【図２】
0004827534.tif 000003
【図３】
0004827534.tif 000004
【図４】
0004827534.tif 000005
【図５】
0004827534.tif 000006